(57)【要約】【課題】高性能の消音器を提供すること。【解決手段】外周面が金管楽器のベルの内周面に接するように取り付けられる筒状部と前記筒状部の一方の端部を閉塞する閉塞部とを備える本体と、前記閉塞部から前記本体の外側に延びるとともに、前記本体の内側の前記閉塞部の近傍で第１の端部が開口し、前記本体の外側で第２の端部が開口する性能調整パイプと、を備える消音器を構成する。【選択図】図１
2014153634.tif 000002
【特許請求の範囲】
【請求項１】
外周面が金管楽器のベルの内周面に接するように取り付けられる筒状部と前記筒状部の一方の端部を閉塞する閉塞部とを備える本体と、
前記閉塞部から前記本体の外側に延びるとともに、前記本体の内側の前記閉塞部の近傍で第１の端部が開口し、前記本体の外側で第２の端部が開口する性能調整パイプと、
を備える消音器。
【請求項２】
前記性能調整パイプは、前記金管楽器の各実用音の半波長とは異なる長さである、
請求項１に記載の消音器。
【請求項３】
前記性能調整パイプは、前記金管楽器の実用音域内の最高音の半波長より短い、
請求項１または２のいずれかに記載の消音器。
【請求項４】
前記性能調整パイプは、前記本体の外側において曲げられていることにより、前記ベルの端面よりも演奏者側の空間で前記第２の端部が開口する、
請求項１乃至３のいずれかに記載の消音器。
【請求項５】
前記本体は端子を備え、
前記端子にはマイクから延びる信号線が接続される、
請求項１乃至４のいずれかに記載の消音器。
【発明の詳細な説明】
【技術分野】
【０００１】
本発明は消音器に関する。
【背景技術】
【０００２】
金管楽器に使用される消音器として、従来、消音器の外周面が金管楽器のベルの内周面に接するように取り付けられる消音器が知られている。例えば、特許文献１においては、椀状の底部と胴部からなる内部空間を有する消音器において、内部空間に連通して呼気を外部空間に排出する所定の長さを有する呼気排出通路部が設けられた構成が開示されている。
【先行技術文献】
【特許文献】
【０００３】
【特許文献１】特許第４１１４１７１号公報
【発明の概要】
【発明が解決しようとする課題】
【０００４】
従来の技術において、呼気排出通路部は椀状の底部の端面近傍で開口している。しかし、このような開口部から消音器本体の外側に出力される音は、消音器本体の外壁面や金管楽器のベルの内壁面等で反射され、主に前方（演奏者から見た前方）への音の放射効率が良くなり、消音性能を向上させることが困難であった。
本発明は、前記課題に鑑みてなされたもので、高性能の消音器（弱音器を含む）を提供することを目的とする。
【課題を解決するための手段】
【０００５】
前記目的を達成するため、本発明においては、外周面が金管楽器のベルの内周面に接するように取り付けられる筒状部と筒状部の一方の端部を閉塞する閉塞部を備える本体と、閉塞部から本体の外側に延びるとともに、本体の内側の閉塞部の近傍で第１の端部が開口し、本体の外側で第２の端部が開口する性能調整パイプと、を構成した。
【０００６】
すなわち、消音器を構成する筒状部の外周面が金管楽器のベルの内周面に接するように取り付けられることにより、消音器の外周面とベルの内周面との間からは演奏者の呼気が漏れないように構成されている。このため、演奏者の呼気を排出する必要があり、筒状部と閉塞部とによって消音器の本体が中空となるように構成され、当該筒状部の閉塞部が存在しない側の端部が開口することによって演奏者の呼気が金管楽器から消音器の本体内に導入されるように構成されている。さらに、性能調整パイプの第１の端部が本体の内側で開口し、第２の端部が本体の外側に開口しているため、演奏者の呼気は第１の端部から性能調整パイプ内に導入され、第２の端部から本体の外側に排出されるように構成されている。
【０００７】
このような消音器を構成する性能調整パイプは、閉塞部から本体の外側に延びることによって、その端部の一つである第２の端部が本体の外側で開口するように消音器本体に取り付けられている。すなわち、第２の端部が閉塞部から離れた位置に存在し、当該閉塞部から離れた位置において開口した第２の端部から音が出力されるように構成されている。従って、消音器を金管楽器に装着した状態で演奏者が金管楽器を演奏すると、第２の端部から出力される音は球状に広がる。このため、特定の方向への音の放射効率が突出することがなく、消音性能が高い高性能の消音器を提供することが可能である。
【０００８】
ここで、消音器の本体を構成する筒状部は、当該筒状部の外周面が金管楽器のベルの内周面に接するように取り付けられることで、消音器の外周面とベルの内周面との間からは演奏者の呼気が漏れないように構成されていればよい。従って、筒状部の外周面にベルの内周面との接触性を高める部材が取り付けられていてもよいし、外周面が金管楽器のベルの形状に沿ってベルの形状よりも緩やかに変化するように（例えば、外側に向けてベルよりも緩やかに外周の径が徐々に大きくなるように）構成されていても良い。また、筒状部は、薄い板状の壁面が軸の周囲に存在することで軸方向の両端が開口するように構成された部材であれば良く、素材や外周径、内周径は限定されない。
【０００９】
閉塞部は、筒状部の一方の端部を閉塞する壁面を構成すれば良く、例えば、薄い板状の部材が筒状部の一方の端部に取り付けられる構成等を採用可能である。すなわち、閉塞部が取り付けられた筒状部の端部（一方の端部）と逆側の端部を金管楽器に挿入するとともに、筒状部の外周面を金管楽器のベルの内周面に接触させることによって本体を金管楽器に取り付けるように構成されている。この結果、閉塞部が金管楽器の外側に露出し、筒状部における閉塞部と逆側の端部が金管楽器の内側に隠れた状態、例えば、トランペットであれば、閉塞部が演奏者と反対側に配置され、筒状部における閉塞部と逆側の端部が演奏者側に配置された状態となる。むろん、閉塞部と筒状部とは一体的に形成されてもよいし、別体であった閉塞部と筒状部とが連結される構成であっても良い。なお、消音器を構成する筒状部の外周面が金管楽器のベルの内周面に接するように取り付けられ、当該筒状部の端部（一方の端部）が閉塞部によって閉塞されている構成の消音器において、当該閉塞部は金管楽器によって出力される音の反射面となる。そして、この構成においては、消音器が金管楽器に取り付けられる位置が調整されることにより、消音器を使用した場合に金管楽器から出力される音の音程と消音器を使用しない場合に金管楽器から出力される音の音程との変動を抑制することができる。
【００１０】
性能調整パイプは、本体の内側で第１の端部が開口するとともに本体の外側に第２の端部が開口するように両端が開口したパイプであり、閉塞部から本体の外側に延びるように構成されていれば良い。すなわち、閉塞部から離れた位置において第２の端部が開口するように性能調整パイプが構成されていればよく、性能調整パイプの少なくとも一部が本体の外側に露出するように、当該性能調整パイプが閉塞部に対して取り付けられる。むろん、性能調整パイプは、閉塞部から直線状に延びても良いし、少なくとも一部が曲げられていても良い。
【００１１】
第１の端部は、本体の内側で開口していれば良いが、本体の内側において第１の端部が開口している位置を調整すれば、消音器の性能を向上させることができる。例えば、閉塞部は、金管楽器によって出力される音の反射面となり、消音器の内側においては、閉塞部に向かって進行する直接音の音波と閉塞部で反射されて演奏者に向かって進行する反射音の音波とが併存する状態となる。従って、消音器の内側で開口する性能調整パイプの第１の端部の付近においても、直接音の音波と反射波の音波とが併存する。このため、第１の端部と閉塞部との距離の２倍（直接音と反射音との経路差）が音波の半波長の奇数倍あるいは波長の整数倍である場合、直接音の音波と反射波の音波とが干渉し、当該音波が過度に小さくあるいは大きくなる。この結果、第１の端部と閉塞部との距離に応じた特定の周波数でディップやピークのある音波が性能調整パイプから出力される。
【００１２】
そこで、第１の端部を閉塞部の近傍に配置すれば、可聴域の音において当該ディップやピークが発生しないように構成することができる。すなわち、消音器の本体の内側に性能調整パイプの第１の端部を配置する際に、第１の端部を閉塞部の近傍に配置した状態で性能調整パイプが本体に取り付けられるように構成することができる。そして、第１の端部を閉塞部の近傍に配置すれば、ディップやピークとなる周波数（第１の端部と閉塞部との距離に応じた特定の周波数）を可聴域外の周波数とすることができる。
【００１３】
具体的には、第１の端部と閉塞部の内壁との距離を数ｍｍ程度に設定すれば、第１の端部と閉塞部の内壁との距離を可聴域の音での干渉が生じない距離とすることができる。すなわち、経路差（第１の端部と閉塞部の内壁との距離の２倍）が波長／２となるようにするためには、第１の端部と閉塞部の内壁との距離を波長／４とすればよい。そこで、可聴域の音の上限周波数を５ｋＨｚとすれば、音速を３４０ｍ／ｓとした場合に波長は０．０６８ｍ（＝３４０／５０００）であり、第１の端部と閉塞部の内壁との距離を波長／４である１７ｍｍより小さくすれば、可聴域の音波でディップやピークのある癖のある音が性能調整パイプから出力されなくなる。また、可聴域の音の上限周波数を２０ｋＨｚとすれば、音速を３４０ｍ／ｓとした場合に波長は０．０１７ｍ（＝３４０／２００００）であり、第１の端部と閉塞部の内壁との距離を波長／４である４．２５ｍｍより小さくすることで、可聴域の音波でディップやピークのある癖のある音が性能調整パイプから出力されなくなる。従って、高性能の消音器を提供することができる。
【００１４】
さらに、消音器を使用した演奏を行う際に、演奏者は、マウスピースと消音器との間に存在する気体を振動させることによって音を出力させるが、性能調整パイプが備えられた消音器においては性能調整パイプの長さが長いほど気体の振動の発生自由度を容易に抑制することができる。従って、性能調整パイプの長さを長くするほど消音器内に生成される音波が安定化させやすくなる。
【００１５】
一方、過度に性能調整パイプの長さを長くすると、消音器の性能が悪くなることが判明している。すなわち、金管楽器には実際の演奏に使用される実用音が存在し、過度に性能調整パイプの長さを長くすると、性能調整パイプの長さが実用音で共鳴し得る長さとなる。このような場合、金管楽器の演奏中に、演奏者が気体に与えたエネルギーが共鳴に消費され、本来の演奏音を出力するためのエネルギーが損失するため、吹奏感が悪くなってしまう。そこで、性能調整パイプの長さを、金管楽器の各実用音で共鳴しない長さとすれば、エネルギー損失が発生せずに快適に演奏可能な消音器を提供することが可能になる。
【００１６】
このように、性能調整パイプを金管楽器の各実用音で共鳴しない長さにするためには、金管楽器で使用される音の周波数が離散的（ＣとＣ♯の間には周波数の隔たりがある等）であることを利用し、離散的な周波数の間の周波数の音波と性能調整パイプとが共鳴し得るように性能調整パイプの長さを設定してもよい。すなわち、性能調整パイプの長さが金管楽器の各実用音の半波長と異なる長さとなるように構成してもよい。
【００１７】
さらに、性能調整パイプを金管楽器の実用音で共鳴しない長さにするために、性能調整パイプを金管楽器の実用音域内の最高音の半波長より短くしてもよい。すなわち、この長さであれば、金管楽器の実用音域内の音の全ての音に対して実質的に共鳴しないように性能調整パイプを構成することができる。例えば、トランペットの実用音域の最高音を９２０Ｈｚ程度と見なし、音速を３４０ｍ／ｓとした場合、実用音域の最高音の波長の１／２は１８５ｍｍ程度となる（１８５≒（３４０／９２０／２）×１０００）。従って、性能調整パイプの長さを１８５ｍｍより短くすれば、性能調整パイプをトランペットの実用音域内の最高音の半波長より短くすることができる。
【００１８】
むろん、実用音域の最高音は演奏者や演奏目的によって変動させることが可能であり、例えば、ジャズ演奏の場合に実用音域の最高音が１０５０Ｈｚである場合に、性能調整パイプの長さを１６２ｍｍ（１６２≒（３４０／１０５０／２）×１０００）より短くする構成等を採用してもよい。
【００１９】
さらに、第２の端部は、当該第２の端部の開口部から出力される音が球状に、すなわち、前方のみの半球状ではなく、後方を含む放射方向に放射されるように、配置されていれば良く、その位置は種々の位置を採用可能である。その例として、消音器の本体の外側において曲げられていることにより、ベルの端面よりも演奏者側の空間で第２の端部が開口するように性能調整パイプが構成されていても良い。この構成によれば、主な音の出力方向が後方になるため、演奏者の前方に進行する音波を相対的に減らすことができ演奏者の前方における消音性能を向上させることができる。
【図面の簡単な説明】
【００２０】
【図１】は消音器の断面図である。
【図２】（２Ａ）（２Ｂ）は閉塞部と音源位置との関係が音の周波数特性に与える影響を説明するための図である。
【図３】消音器の断面図である。
【図４】消音器の断面図である。
【図５】消音器の断面図である。
【発明を実施するための形態】
【００２１】
ここでは、下記の順序に従って本発明の実施の形態について説明する。
（１）消音器の構成：
（２）性能調整パイプの長さ：
（３）他の実施形態：
【００２２】
（１）消音器の構成：
図１は、本発明の一実施形態にかかる消音器を示す図である。図１はトランペットのベル１に装着された消音器をトランペットの管の軸に沿って切断した場合の断面図である。本実施形態にかかる消音器は筒状部１１と閉塞部１２とからなる本体１０を備えており、閉塞部１２には性能調整パイプ２０が取り付けられている。また、本体１０には音程調整のための音程調整部材３１が取り付けられている。
【００２３】
筒状部１１は板状の部材で構成されており、軸に沿って内径及び外径が徐々に変化する形状である。すなわち、筒状部１１は、略円錐台の形状であり、本実施形態において、円錐台の側面に相当する壁面は図１に示す断面において直線ではなく曲線であり、軸に沿って徐々に曲率が変化する。また、筒状部１１における軸方向の一方の端部は他方の端部よりも内径が大きい。本実施形態においては、内径が大きい方の端部１４（下底に相当する端部）に閉塞部１２が連結され、内径が小さい方の端部１３（上底に相当する端部）は開口している。従って、本体１０は一端が開口した中空の部材である。
【００２４】
閉塞部１２は板状の部材で構成されており、本体１０の外部に露出する閉塞部１２の外面は略椀状の形状である。閉塞部１２の中央（筒状部１１の軸と閉塞部１２との交点）には穴が形成されており、当該穴には円柱状の穴が形成されたボス１２ａが取り付けられている。
【００２５】
音程調整部材３１は、板状の部材で構成された略円錐台の形状の部材であり、本実施形態において、円錐台の側面は図１に示す断面において直線である。また、音程調整部材３１の円錐台における内径が小さい方の端部３１ｂ（上底に相当する端部）は閉塞しており、内径が大きい方の端部３１ａ（下底に相当する端部）は開口している。従って、音程調整部材３１も一端が開口した中空の部材である。
【００２６】
音程調整部材３１の端部３１ａの内壁および筒状部１１の端部１３の内壁には複数の位置に連結部材３１ｃが取り付けられている。連結部材３１ｃは、薄い板状の部材であるとともに、音程調整部材３１および筒状部１１の軸の周りの所定角度方向（図１に示す例では０°、９０°、１８０°、２７０°）に当該薄い板状の部材の面が配向するように音程調整部材３１および筒状部１１に取り付けられている。すなわち、複数の箇所に配置された連結部材３１ｃにより、筒状部１１の端部１３と音程調整部材３１の端部３１ａとが所定距離（図１に示すＸ）だけ離れた状態で固定された状態となる。
【００２７】
このため、トランペットの内側から音程調整部材３１および筒状部１１の方向に流れてくる演奏者の呼気は、筒状部１１の端部１３と音程調整部材３１の端部３１ａとの間を通って筒状部１１内に導入される。ここで、トランペットに装着されたマウスピースに演奏者が唇をつけて呼気を導入した場合、演奏者の唇の振動による音波が伝搬する。この音波によってトランペット内部に定在波が発生し、発生した定在波によってトランペットから出力される音の音程が定まる。よって、連結部材３１ｃの大きさを調整することによって音程調整部材３１と筒状部１１との距離を調整すると、前述の音波が伝搬する経路の断面積を変化させることができ、トランペットから出力される音の音程を調整することが可能である。
【００２８】
本実施形態にかかる筒状部１１においては、外周に摩擦係数の大きい緩衝材（スポンジ等の樹脂）１１ａが巻き付けられている。また、筒状部１１における曲率は、本体１０の装着対象となるトランペットのベル１の曲率よりも軸方向の単位距離あたりの変化が小さい。従って、本体１０の端部１３をベル１内に挿入して本体１０をベル１内に移動させると、やがて、筒状部１１の外周に取り付けられた緩衝材１１ａの外周がベル１の内周に密着する。この状態においてさらに本体１０をベル１内に押し込むと、緩衝材１１ａが変形するとともに摩擦力によって本体１０がベル１に固定された状態となる。
【００２９】
本実施形態においては、緩衝材１１ａの厚さを所定の厚さとしており、緩衝材１１ａの変形量にある程度の幅があるため、本体１０をベル１に固定する位置にある程度の幅がある。従って、本体１０をベル１に固定する位置を調整することによって音程を調整することが可能である。
【００３０】
性能調整パイプ２０は、円筒部材であり、一方の端部から他方の端部までの軸が直線状である。性能調整パイプ２０の外周は、ボス１２ａの円柱状の穴の内周よりもわずかに小さく、性能調整パイプ２０をボス１２ａに挿入して固定することができる。性能調整パイプ２０の両端（第１の端部２０ａおよび第２の端部２０ｂ）は開口しているため、第１の端部２０ａをボス１２ａに挿入すると第１の端部２０ａは消音器の本体１０の内側で開口し、第２の端部２０ｂは消音器の本体１０の外側で開口した状態となる。この結果、本実施形態においては、トランペットの内側から筒状部１１の端部１３と音程調整部材３１の端部３１ａとの間を通って筒状部１１内に導入された演奏者の呼気は、さらに性能調整パイプ２０の第１の端部２０ａに導入される。そして、性能調整パイプ２０内の呼気は性能調整パイプ２０の第２の端部２０ｂから本体１０の外側に排出される。
【００３１】
以上の構成において、性能調整パイプ２０は閉塞部１２から本体１０の外側に延びることによって、第２の端部２０ｂが本体１０の外側で開口するように閉塞部１２に取り付けられている。このため、第２の端部２０ｂが閉塞部１２から離れた位置に存在し、消音器の本体１０をトランペットに装着した状態で演奏者がトランペットを演奏すると、第２の端部２０ｂから出力される音は球状に広がる。従って、特定の方向（例えば、前方）への音の放射効率が突出して特定の方向での消音性能が低下することはなく、消音性能が高い高性能の消音器を提供することが可能である。
【００３２】
以下、性能調整パイプ２０の第２の端部２０ｂから音が出力されることによる効果を図とともに説明する。ここでは、無響室内に置かれた直径６ｍｍ（性能調整パイプ２０の内径と同一）の音源から距離１ｍの位置における音圧の周波数特性を３種の条件について考察する。すなわち、音源の周囲に閉塞部１２を模した部材（直径８０ｍｍの円盤）を配置しない状態における、音源から距離１ｍの位置での周波数特性を基準として想定する。当該周波数特性を基準条件下での周波数特性とよぶ。
【００３３】
次に、閉塞部１２を模した部材の中央に音源を配置した状態における、音源から距離１ｍの位置での周波数特性を比較条件下での周波数特性とよぶ。さらに、閉塞部１２を模した部材の中央を通るとともに閉塞部１２を模した部材に垂直な軸（本体１０の中心軸と同等）上で、閉塞部１２を模した部材から９０ｍｍの位置に音源を配置した状態を想定し、当該軸上における音源から距離１ｍの位置での周波数特性を実施条件下での周波数特性とよぶ。
【００３４】
なお、比較条件下での周波数特性は、閉塞部１２を模した部材の中央に形成された穴から出力される音を当該穴から距離１ｍの位置において測定した場合の周波数特性と同等であるため、図１に示す構成において閉塞部１２性能調整パイプ２０を取り外した状況と同等の周波数特性と見なすことができる。また、実施条件下での周波数特性は、閉塞部１２を模した部材の前方９０ｍｍの位置から出力される音を当該穴から距離１ｍの位置において測定した場合の周波数特性と同等であるため、図１に示す構成における周波数特性と見なすことができる。
【００３５】
図２Ａおよび図２Ｂは、閉塞部１２と音源位置との関係が音の周波数特性に与える影響を説明するための図であり、図２Ａにおいては、基準条件下での周波数特性を全周波数域に渡り０ｄＢとした場合に対する比較条件下での周波数特性を実線で示し、基準条件下での周波数特性を全周波数域に渡り０ｄＢとした場合に対する実施条件下での周波数特性を破線で示している。なお、比較条件下での周波数特性と実施条件下での周波数特性との間に有意な差が見られなかった４００Ｈｚ未満と２０ｋＨｚ超の周波数特性は省略している。
【００３６】
図２Ａに基づいて比較条件下での周波数特性と実施条件下での周波数特性とを比較すると、ほぼ全周波数域に渡って、比較条件下での音圧の方が実施条件下での音圧よりも大きくなっている。従って、性能調整パイプ２０が閉塞部１２の前方に延びる本実施形態の消音器においては、性能調整パイプ２０が取り付けられていない消音器よりもトランペットの前方における消音性能が高いことになる。なお、騒音レベル（ｄＢＡ）は、比較条件下での周波数特性が基準条件下での周波数特性よりも６ｄＢほど大きく、実施条件下での周波数特性が基準条件下での周波数特性よりも２ｄＢほど大きい。従って、性能調整パイプ２０が閉塞部１２の前方に延びる本実施形態の消音器においては、性能調整パイプ２０が取り付けられていない消音器よりもトランペットの前方における消音性能が高いことになる。
【００３７】
図２Ｂにおいては、音源から距離１ｍの位置を図２Ａにおける軸（閉塞部１２を模した部材の中央を通るとともに閉塞部１２を模した部材に垂直な軸）に対して４５°傾けた位置における周波数特性を示している。すなわち、図２Ｂにおいては、音源から距離１ｍの位置を図２Ａにおける軸に対して４５°傾けた位置における周波数特性であって、基準条件下での周波数特性を全周波数域に渡り０ｄＢとした場合に対する比較条件下での周波数特性を実線で示し、基準条件下での周波数特性を全周波数に渡り０ｄＢとした場合に対する実施条件下での周波数特性を破線で示している。図２Ｂに基づいて比較条件下での周波数特性と実施条件下での周波数特性とを比較すると、ほぼ全周波数域に渡って、比較条件下での音圧の方が実施条件下での音圧よりも大きくなっている。従って、性能調整パイプ２０が閉塞部１２の前方に延びる本実施形態の消音器においては、性能調整パイプ２０が取り付けられていない消音器よりもトランペットの前方における消音性能が高いことになる。
【００３８】
さらに、図２Ａ、図２Ｂのいずれにおいても実施条件下での周波数特性には、音源からの直接音と閉塞部１２を模した部材からの反射音との干渉に起因するディップ、ピークが現れている。しかし、図２Ａと図２Ｂとを比較すると、図２Ｂにおける実施条件下での周波数特性の方がディップおよびピークの大きさが小さい。従って、図２Ａに示す音源から距離１ｍの位置を上述の軸に対して４５°傾けた位置の方が、高い消音性能となる。そこで、トランペットの前方における消音性能を向上させるためには、性能調整パイプ２０が閉塞部１２から延びる方向は、図１のように筒状部１１の軸に平行とするのではなく、筒状部１１の軸に対して傾斜させる構成としても良い。
【００３９】
さらに、本実施形態においては、第１の端部２０ａと閉塞部１２の内壁との距離Ｌが４．２５ｍｍより小さくなるように、性能調整パイプ２０が閉塞部１２に対して取り付けられている。すなわち、閉塞部１２は、音波の反射面となるため、第１の端部２０ａと閉塞部１２の内壁との距離Ｌの２倍が、半波長の奇数倍あるいは波長の整数倍と等しい音波においては、閉塞部１２への進行波と反射波とで減衰あるいは共鳴が生じる。従って、他の波長の音波と比較してディップやピークが現れることになる。閉塞部１２への進行波と反射波とで減衰あるいは共鳴が生じる条件の中で最も距離Ｌが短くなる条件は、２×Ｌ＝波長／２であるため、周波数＝音速／波長の式を利用して距離Ｌを周波数ｆに変換すると、ｆ＝ｖ／（４Ｌ）である（ｖは音速）。従って、音速を３４０ｍ／ｓとすると、距離Ｌ＝４．２５ｍｍに対応する周波数は２００００Ｈｚ（＝３４０／（４×（４．２５／１０００）））である。このため、距離Ｌ＝４．２５ｍｍは可聴域の上限の周波数で減衰あるいは共鳴が生じる長さであり、本実施形態においては、第１の端部２０ａと閉塞部１２の内壁との距離Ｌが４．２５ｍｍより小さくなるようにすることで可聴域の音波でディップやピークが生じないように構成されている。
【００４０】
（２）性能調整パイプの長さ：
消音器をトランペットに装着して演奏を行う場合、演奏者はマウスピースと消音器との間に存在する気体を振動させることによって音を出力させるが、性能調整パイプ２０が備えられた消音器においては性能調整パイプ２０の長さが長いほど気体の振動の発生自由度を容易に抑制することができる。従って、性能調整パイプ２０の長さを長くするほど消音器内に生成される音波が安定化させやすくなる。そして、本実施形態においては、閉塞部１２から消音器の本体１０の外側（前方）に向けて性能調整パイプ２０が延びているため、性能調整パイプ２０の長さを規制する構造的な制約は存在しない。従って、容易に性能調整パイプ２０の長さをできるだけ長くすることができ、音波の安定化に伴って音程が安定化するため、性能の高い消音器を提供することができる。
【００４１】
このように、音程の変化の抑制や音波の安定化のためには性能調整パイプができるだけ長い方が好ましいが、本実施形態においては他の視点から性能調整パイプの長さの上限も規定されている。すなわち、本実施形態においては、性能調整パイプ２０の長さは、トランペットの実用音域内の最高音の半波長より短くなるように構成されている。この結果、トランペットの実用音で共鳴しないように構成されている。
【００４２】
すなわち、音波の波長の１／２と性能調整パイプ２０の長さとが等しい場合には、トランペットの演奏中に演奏者が気体に与えたエネルギーが性能調整パイプ２０における共鳴に消費され、本来の演奏音を出力するためのエネルギーが損失すると考えられる。例えば、トランペットの実用音域の最高音を９２０Ｈｚ程度と見なし、音速を３４０ｍ／ｓとした場合、実用音域の最高音の波長の１／２は１８５ｍｍ程度となる（１８５≒（３４０／９２０／２）×１０００）。そこで、性能調整パイプ２０の長さを１８５ｍｍより短く（例えば、図１に示すように９０ｍｍ）とすれば、エネルギー損失が発生せずに快適に演奏可能な消音器を提供することが可能になる。なお、図１において、閉塞部１２の直径（軸に垂直な方向の長さ）は８０ｍｍ、性能調整パイプ２０の内径は６ｍｍである。
【００４３】
（３）他の実施形態：
本発明においては、消音器の本体に対して当該本体から外側に延びる性能調整パイプが取り付けられていればよく、他にも種々の構成を採用可能である。例えば、性能調整パイプの形状や延びる方向、本体１０に対する取付位置は図１に示す構成に限定されないし、性能調整パイプ２０が閉塞部１２に対して着脱可能であっても良い。
【００４４】
図３は、消音器の本体１０に取り付けられた性能調整パイプ２００が、本体１０の外側において曲げられていることにより、トランペットのベル１の端面１ａよりも演奏者側の空間（後方の空間）で第２の端部２００ｂが開口する実施形態を示す断面図である。図３において、図１と同様の構成については同一の符号で示している。本実施形態において、性能調整パイプ２００は、直線状の部位Ｐ1と曲げられた部位Ｐ2とを備え、曲げられた部位Ｐ2の中心軸は半円形である。
【００４５】
また、曲げられた部位Ｐ2の端部が第１の端部２００ａとなって閉塞部１２の中央に形成されたボス１２ａに挿入され当該第１の端部２００ａが本体１０の内部で開口する。一方、性能調整パイプ２００を構成する直線状の部位Ｐ1の端部が第２の端部２００ｂとなって本体１０の外部で開口する。この構成によれば、主な音の出力方向が後方になるため、演奏者の前方に進行する音波を相対的に減らすことができ演奏者の前方における消音性能を向上させることができる。なお、この構成において、第２の端部２００ｂの開口部に対して、一方の端部の開口径が他方の端部の開口径よりも大きいアタッチメント２１０を取り付け、第２の端部２００ｂから出力される音の指向性を調整する構成としても良い。
【００４６】
図４は、消音器の本体１０に取り付けられた性能調整パイプ２０１の一部が本体１０の内部に存在し、残りの部位が本体１０の外部に存在する実施形態を示す断面図である。図４において、図１と同様の構成については同一の符号で示している。本実施形態においても性能調整パイプ２０１は、直線状の部位と曲げられた部位とを備え、曲げられた部位の中心軸は半円形である。また、曲げられた部位は本体１０内に存在し、直線状の部位の大半は本体１０の外部に存在する。この構成によれば、性能調整パイプ２０１の長さを長くしつつも、性能調整パイプ２０１が本体１０の外部に突出する長さを抑制することができる。
【００４７】
さらに、消音器によって消音を行いつつマイクによって集音し、集音された音を特定の者（演奏者等）が聞くことができるようにする構成を追加しても良い。図５は、消音器にマイクを取り付けることができる構成の例を示す図である。図５においては、図１に示す構成と同様の構成については同一の符号で示している。図５に示す構成例においては、音程調整部材３１の端部３１ｂにマイク３２０ａが取り付けられている。また、閉塞部１２には端子１２０ａが取り付けられており、マイク３２０ａおよび端子１２０ａには信号線３２０ｂが接続されている。この構成にかかる消音器１０を金管楽器のベルに取り付けた状態で端子１２０ａにアンプ等への出力信号線を接続すれば、金管楽器からの出力音を消音しつつ、アンプ等によって演奏音を所望の大きさの音に変換し、特定の者に聞かせることが可能である。なお、マイク３２０ａの位置は棒状部材３２の端部に限定されるものではなく、消音器内で演奏音を検出できる場所であればどこでもよい。また、マイク３２０ａの出力信号をアンプ等に送る手段は有線通信に限定されるものではなく、無線通信でもよい。
【符号の説明】
【００４８】
１…ベル、１ａ…端面、１０…本体、１１…筒状部、１１ａ…緩衝材、１２…閉塞部、１２ａ…ボス、１３…端部、１４…端部、２０…性能調整パイプ、２０ａ…端部、２０ｂ…端部、３１…音程調整部材、３１ａ…端部、３１ｂ…端部、３１ｃ…連結部材
【図１】
2014153634.tif 000003
【図２】
2014153634.tif 000004
【図３】
2014153634.tif 000005
【図４】
2014153634.tif 000006
【図５】
2014153634.tif 000007